(57)【要約】      （修正有）【課題】調理における食材の水切りを十分に行うことができる水切り兼用まな板を提供する。【解決手段】一枚目のまな板に、調理面の水分等をその裏面下部に迅速に誘導して処理する水切り孔又は貫通孔を多数形成し、二枚目のまな板表面にそれら水分等を受けて排除する傾斜面又は傾斜溝又は凹部と排水口又は排水孔を設ける。そして、２枚のまな板を重ね合わせて接する面の周囲部に一定の幅及び間隔で凹凸体又は、球状体による接合体を設けて二枚一組にして用い、又は一枚目のまな板を水分等を専用に受ける容器と合わせ又はそれのみで用いる。【選択図】図１
0003167205.tif 000002
【実用新案登録請求の範囲】
【請求項１】
主に木、セラミック、金属、合成樹脂の一以上を用いるまな板で、一枚目のまな板に調理面の水分、汁及び調味液をその裏面下部に迅速に誘導して処理する水切り孔（貫通孔）を多数形成し、二枚目のまな板表面にそれら水分、汁及び調味液を受けて排除する傾斜面又は傾斜溝又は凹部と排水口又は排水孔を設ける（裏面はまな板として使用可）。そして、それらまな板を重ね合わせて接する面の周囲部に一定の幅及び間隔で凹凸体（例えば球状体）による接合体を設けて一体的（二枚一組）にして用い、又は一枚目のまな板を水分、汁及び調味液を専用に受ける容器と合わせ又はそれのみで用いたことを特徴とする水切り兼用まな板。
【請求項２】
請求項１の一枚目のまな板に調理面の水分、汁及び調味液をその裏面下部に迅速に誘導して処理する水切り孔（貫通孔）を、当該まな板の表面全体や半分程度に多数形成したことを特徴とする請求項１記載の水切り兼用まな板。
【請求項３】
請求項１の二枚目のまな板に、水分、汁及び調味液を排除する傾斜面又は傾斜溝又は凹部と排水口又は排水孔を設けたこと（裏面はまな板として使用可）を特徴とする請求項１記載の水切り兼用まな板。
【請求項４】
請求項１、２及び３の二枚のまな板を重ね合わせて接する面の周囲部分に一定の幅及び間隔で凹凸体（例えば球状体）による接合体を設けたことを特徴とする請求項１記載の水切り兼用まな板。
【請求項５】
請求項１、２、３及び４の二枚のまな板を重ね合わせて接する面の周囲部に一定の幅及び間隔で凹凸体（例えば球状体）による接合体を設けて一体的（二枚一組）にして用いたことを特徴とする請求項１記載の水切り兼用まな板。
【請求項６】
請求項１、２、４及び５の一枚目のまな板を、水分、汁及び調味液を専用に受ける容器と合わせ又はそれのみで用いたことを特徴とする水切り兼用まな板。
【考案の詳細な説明】
【技術分野】
【０００１】  本考案は、合成樹脂等によるまな板において、一枚目のまな板に調理面の水分、汁及び調味液をその裏面下部に迅速に誘導して処理する水切り孔（貫通孔）を多数形成し、二枚目のまな板表面にそれら水分等を受けて排除する傾斜面又は傾斜溝又は凹部と排水口等を設ける（裏面はまな板として使用可）。そして、それらまな板を重ね合わせて接する面の周囲部に一定の幅及び間隔で凹凸体（例えば球状体）による接合体を設けて一体的（二枚一組）にして用い、又は一枚目のまな板を水分、汁及び調味液を専用に受ける容器と合わせ又はそれのみで用いる水切り兼用まな板に関する。
【背景技術】
【０００２】  文献１は、調理時に食材からの水分や液汁を容易に除去して調理しやすくするために、板状のまな板にその表裏を貫通する水透過用の−型の複数のスリットを形成するもので、スリットは幅１．５ｍｍで長さ５０ｍｍ、スリット間隔は３０ｍｍとした水切りまな板である。【０００３】  しかし、水分の多い食材でも調理時間は短く、かつ瞬時に多量の水分等を出すため、−型で一定間隔の当該水切りスリットでは、実際には多量かつ瞬時の水分等が調理面からスリットを通り裏面に透過するまでの時間がかかりすぎて、水分等の容易な除去や調理のしやすさは不十分である。【０００４】  文献２は、高齢者が白色野菜を調理する際に表面と裏面をその都度洗うことなく衛生的に使えるとする両面使用可能なまな板で、木製と合成樹脂製又は合成樹脂製の２枚のまな板を張り合わせて一体形成し、それを保持するベースとで構成されている。【０００５】
【文献１】
登録実用新案第３１５９５７２号
【文献２】
登録実用新案第３１５０６２５号
【考案の開示】
【考案が解決しようとする課題】
【０００６】  調理での食材の水切り方法は、通常ふきん等でふき取るか網状容器に放置して水を切るが、実際は調理時間や台所環境や瞬時に多量の水分を流出する食材の都合等で多くが不十分のまま、まな板上でそれら食材を調理している。【０００７】  ところが、食材の水切りが不十分な場合は、その食材を都合良く調理できないだけでなく調理者自身にも大きなけがの危険性をもたらす。例えばジャガイモの水切りが不十分のまま包丁を入れる場合、その水分で手が滑りやすくけがのおそれが高まる。【０００８】  すなわち、食材の水切りが不十分では調理に悪影響を及ぼすだけでなく、調理者自身もけがを負うおそれが増大する。
【課題を解決するための手段】
【０００９】  本考案は、上記課題を解決するため、まず最初に二枚の板状のまな板を用意する。材質は木、セラミック、金属及び合成樹脂の一以上を用い、組合せは自由である。【００１０】  一枚目のまな板に、食材による水分、汁及び調味液（以下「水分等」）を裏面下部に迅速に誘導して処理するための水切り孔（貫通孔。以下略）を多数形成する。このとき、水切り孔径は数十ミクロンから数ミリ程度とする。【００１１】  水切り孔の配置は、当該まな板全体に多数形成する場合及び半分程度に多数形成する場合が一般的であるが、その配置は自由であり上記機能が有効であれば良い。【００１２】  次に、二枚目のまな板に、上記のそれら水分等を受けてさらに排除する傾斜面又は傾斜溝又は凹部と排水口又は排水孔を設ける。但し、当該二枚目のまな板裏面は通常のまな板として使用できる。【００１３】  そして、上記一枚目と二枚目のまな板を重ね合わせて接する面の周囲部に一定の幅及び間隔で凹凸体（例えば球状体）による接合体を設け、それらを重ねた際にそれらまな板が一体的（二枚一組）になるようにする。【００１４】  これにより、一枚目のまな板の調理面で発生した食材による水分等が、水切り孔を通り裏面下部に流れた後に二枚目のまな板表面にある傾斜面又は傾斜溝に落ち、さらに外部に排除される。【００１５】  一方、流し台以外で当該まな板を使用する場合、二枚目のまな板ではなく、主に合成樹脂製の上記水分等を専用に受ける容器を新たに形成し、その上部に一枚目のまな板を配置して一体的に組み合わせて用いる。【００１６】  以上により、水切り孔を持つ一枚目のまな板が、第一に流し台等で単独で使用でき、第二に水分等を受ける傾斜面等を持つ二枚目のまな板と一体的（二枚一組）に使用でき、第三に水分等受けの専用容器と組み合わせて使用できることになる。
【考案の効果】
【００１７】  本考案の効果は、上記課題の「食材の水切りが不十分では調理に悪影響を及ぼすだけでなく、調理者自身もけがを負うおそれが増大する」ことを改善及び解決したことである。【００１８】  具体的には、第一に瞬時に多量となる食材の水分等を十分に水切りしたことで、調理（料理の出来映え、味及び調理手間等）に悪影響を与えなくなったことである。【００１９】  第二に食材の水分等を十分に水切りしたことで、調理者が当該食材を固定できて包丁操作による危険性を低減でき、或いは油を用いた調理でやけど等の危険性を低減又は解消したことである。
【考案を実施するための最良の形態】
【００２０】  本考案について、図１及び図２の実施例に基づいて説明する。ただし、本考案はこれらに限るものではなく、作図も主要な構成物のみとする。【００２１】  図１は、本考案の実施例（１）の構成を示す斜視図で、二枚のまな板を上下に重ねて一体的に用いる構成である。まず上部の一枚目のまな板１に多数の水切り孔３を形成し、調理時に瞬時に多量となる水分等を迅速に裏面下部に誘導し処理する。【００２２】  次に、下部の二枚目のまな板２の表面に上記まな板１から迅速に誘導した水分等を直接受けるための傾斜面４又は傾斜溝５又は凹部を設け、さらに水分等を外部に排除する排水口又は孔を設ける。なお、裏面は通常のまな板として使用できる仕上げとする。【００２３】  そして、一枚目のまな板１と二枚目のまな板２を上下に重ね合わせて固定し一体的（二枚一組）となるように、それらが接する面の周囲部６に一定の幅及び間隔で凹凸体（例えば球状体）による接合体７を設ける。【００２４】  なお、上記接合体７は、一枚目のまな板１のみ用いる際には状況によっては不要としても良い。また、一時的に水分等を止めるように傾斜面４等を工夫（例えば傾斜角度の調整や流水箇所の選定等）しても良い。【００２５】  図２は、本考案の実施例（２）を示す斜視図で、一枚目のまな板１に形成された水切り孔３からの水分等を直接受ける専用容器８を当該まな板１と一体的に組み合わせて流し台以外の使用を可能とする。なお、取っ手を付けて良い。
【図面の簡単な説明】
【００２６】
【図１】本考案の実施例（１）の構成を示す斜視図
【図２】本考案の実施例（２）を示す斜視図。
【符号の説明】
【００２７】１      一枚目のまな板
２      二枚目のまな板
３      水切り孔
４      傾斜面
５      傾斜溝
６      周囲部
７      接合体
８      専用容器
９      排水口
【図１】
0003167205.tif 000003
【図２】
0003167205.tif 000004
【手続補正書】
【提出日】平成23年1月20日(2011.1.20)
【手続補正１】
【補正対象書類名】実用新案登録請求の範囲
【補正対象項目名】全文
【補正方法】変更
【補正の内容】
【実用新案登録請求の範囲】
【請求項１】
主に木、セラミック、金属、合成樹脂の一以上を用いるまな板で、一枚目のまな板に調理面の水分、汁及び調味液をその裏面下部に迅速に誘導して処理する水切り孔又は貫通孔を多数形成し、二枚目のまな板表面にそれら水分、汁及び調味液を受けて排除する傾斜面又は傾斜溝又は凹部と排水口又は排水孔を設け、それら二枚のまな板を重ね合わせて接する面の周囲部に一定の幅及び間隔で凹凸体又は球状体による接合体を設けて二枚一組にして用い、又は一枚目のまな板を水分、汁及び調味液を専用に受ける容器と合わせ又はそれのみで用いたことを特徴とする水切り兼用まな板。
【請求項２】
主に木、セラミック、金属、合成樹脂の一以上を用いるまな板で、一枚目のまな板に調理面の水分、汁及び調味液をその裏面下部に迅速に誘導して処理する水切り孔又は貫通孔を、当該まな板の表面全体や半分程度に多数形成したことを特徴とする請求項１記載の水切り兼用まな板。
【請求項３】
主に木、セラミック、金属、合成樹脂の一以上を用いるまな板で、二枚目のまな板に、水分、汁及び調味液を排除する傾斜面又は傾斜溝又は凹部と排水口又は排水孔を設けたことを特徴とする請求項１記載の水切り兼用まな板。
【請求項４】
主に木、セラミック、金属、合成樹脂の一以上を用いるまな板で、一枚目のまな板に調理面の水分、汁及び調味液をその裏面下部に迅速に誘導して処理する水切り孔又は貫通孔を多数形成し、二枚目のまな板表面にそれら水分、汁及び調味液を受けて排除する傾斜面又は傾斜溝又は凹部と排水口又は排水孔を設け、それら二枚のまな板を重ね合わせて接する面の周囲部分に一定の幅及び間隔で凹凸体又は球状体による接合体を設けたことを特徴とする請求項１記載の水切り兼用まな板。
【請求項５】
主に木、セラミック、金属、合成樹脂の一以上を用いるまな板で、一枚目のまな板に調理面の水分、汁及び調味液をその裏面下部に迅速に誘導して処理する水切り孔又は貫通孔を多数形成し、二枚目のまな板表面にそれら水分、汁及び調味液を受けて排除する傾斜面又は傾斜溝又は凹部と排水口又は排水孔を設け、それら二枚のまな板を重ね合わせて接する面の周囲部分に一定の幅及び間隔で凹凸体又は球状体による接合体を設けて二枚一組にして用いたことを特徴とする請求項１記載の水切り兼用まな板。
【手続補正２】
【補正対象書類名】明細書
【補正対象項目名】０００１
【補正方法】変更
【補正の内容】
【０００１】  本考案は、合成樹脂等によるまな板で、一枚目のまな板に調理面の水分、汁及び調味液をその裏面下部に迅速に誘導して処理する水切り孔又は貫通孔を多数形成し、二枚目のまな板表面にそれら水分等を受けて排除する傾斜面又は傾斜溝又は凹部と排水口等を設け、それら二枚のまな板を重ね合わせて接する面の周囲部に一定の幅及び間隔で凹凸体又は球状体による接合体を設けて二枚一組にして用い、又は一枚目のまな板を水分等を専用に受ける容器と合わせ又はそれのみで用いる水切り兼用まな板に関する。
【手続補正３】
【補正対象書類名】明細書
【補正対象項目名】００１３
【補正方法】変更
【補正の内容】
【００１３】  そして、上記一枚目と二枚目のまな板を重ね合わせて接する面の周囲部に一定の幅及び間隔で凹凸体又は球状体による接合体を設け、それらを重ねた際にそれらまな板が二枚一組になるようにする。
【手続補正４】
【補正対象書類名】明細書
【補正対象項目名】００１６
【補正方法】変更
【補正の内容】
【００１６】  以上により、水切り孔を持つ一枚目のまな板が、第一に流し台等で単独で使用でき、第二に水分等を受ける傾斜面等を持つ二枚目のまな板と二枚一組に使用でき、第三に水分等受けの専用容器と組み合わせて使用できることになる。
【手続補正５】
【補正対象書類名】明細書
【補正対象項目名】００２１
【補正方法】変更
【補正の内容】
【００２１】  図１は、本考案の実施例（１）の構成を示す斜視図で、二枚のまな板を上下に重ねて二枚一組として用いる構成である。まず上部の一枚目のまな板１に多数の水切り孔３を形成し、調理時に瞬時に多量となる水分等を迅速に裏面下部に誘導し処理する。
【手続補正６】
【補正対象書類名】明細書
【補正対象項目名】００２３
【補正方法】変更
【補正の内容】
【００２３】  そして、一枚目のまな板１と二枚目のまな板２を上下に重ね合わせて固定し二枚一組となるように、それらが接する面の周囲部６に一定の幅及び間隔で凹凸体又は球状体による接合体７を設ける。
【手続補正７】
【補正対象書類名】明細書
【補正対象項目名】００２４
【補正方法】変更
【補正の内容】
【００２４】  なお、上記接合体７は、一枚目のまな板１のみ用いる際には状況によっては不要としても良い。また、一時的に水分等を止めるように傾斜面４等を、例えば傾斜角度の調整や流水箇所の選定等のように工夫しても良い。
【手続補正８】
【補正対象書類名】明細書
【補正対象項目名】００２５
【補正方法】変更
【補正の内容】
【００２５】  図２は、本考案の実施例（２）を示す斜視図で、一枚目のまな板１に形成された水切り孔３からの水分等を直接受ける専用容器８をまな板１と二枚一組として流し台以外の使用を可能とする。なお、取っ手を付けて良い。